(57)【要約】【課題】      タケノコメバルの稚魚をメス化させることが出来るようにし、その結果、出荷までの期間を短縮できるようにしたタケノコメバルの飼育方法を提供する。【解決手段】  タケノコメバルの飼育方法において、雌雄分化の時期より以前の一定期間、飼育水温が１５℃以上である。１５℃以上に維持する期間が、産出されてから雌雄分化の時期までである。さらに、全長が１１〜２３ｍｍの間の飼育水温が１５℃以上であり、また、産出された後２０日目から雌雄分化の時期までの飼育水温が１５℃以上である。【選択図】    無し【特許請求の範囲】
【請求項１】
雌雄分化の時期より以前の一定期間、飼育水温が１５℃以上であることを特徴とするタケノコメバルの飼育方法。
【請求項２】
産出されてから雌雄分化の時期までの飼育水温が、１５℃以上であることを特徴とする請求項１記載のタケノコメバルの飼育方法。
【請求項３】
全長が１１〜２３ｍｍの間の飼育水温が１５℃以上であることを特徴とする請求項１記載のタケノコメバルの飼育方法。
【請求項４】
産出された後２０日目から雌雄分化の時期までの飼育水温が１５℃以上であることを特徴とする請求項１記載のタケノコメバルの飼育方法。
【発明の詳細な説明】
【技術分野】
【０００１】
本発明は、産出された稚魚のメス化を誘導することが出来るタケノコメバルの飼育方法に関するものである。
【背景技術】
【０００２】
タケノコメバル（Ｓｅｂａｓｔｅｓ  ｏｂｌｏｎｇｓ）は、大きさ４０ｃｍ、１．２Ｋｇになる大型のメバル類であり、北海道南部から九州、朝鮮半島南部に広く分布している魚である。また、瀬戸内海では昭和３０年代までは数多く生息していたが、近年激減し、漁獲も殆ど無いものであった。そこで、タケノコメバルを復活させるために、種苗生産及び養殖方法の開発が試みられるようになった。
【０００３】
魚類の養殖においては、魚体の成長が速いほうが有利である。すなわち、魚体の成長が速いと、出荷までの飼育期間を短く出来るので経済的（餌代、ランニングコストが安価）であり、また、飼育期間を短縮できれば、病気などのリスクが低減するものである。したがって、養殖においては、成長の速いことが極めて有利であり、非常に重要視されている。
【０００４】
ところで、タケノコメバルの成長は雌雄で差があり、メスのほうが速く成長することが知られている。産出された稚魚は、通常、雌雄は１：１となるが、メスの比率を大きく（１００％近く）することが出来れば、タケノコメバルの養殖において、極めて有利なものとなる。したがって、従来、タケノコメバルの稚魚をメス化する技術が要望されていた。
【０００５】
また、雌雄で成長の差がある魚としては、ヒラメ等の異体類等で知られており、ヒラメのメスのみを作出する技術が開発されている。このヒラメをメス化する技術は、染色体操作を行うものであり、具体的には、使用する精子の遺伝子を紫外線などで壊しておき、その精子（０ｎ）を使って卵（１ｎ）を人工受精した後（０ｎ＋１ｎ＝１ｎ）、その卵を高圧あるいは高温で倍数化刺激し（×２）、卵の染色体を倍数化（１ｎ×２＝２ｎ）するものである。さらに進んだ方法としては、このようにして産出したメスをホルモン処理して見かけ上オスにし（偽雄）、普通にメスとこの偽オスを掛け合わせて全てでメスにするという技術がある。
【０００６】
【非特許文献１】「魚類生理学」株式会社恒星社厚生閣、１９９１年発行
【発明の開示】
【発明が解決しようとする課題】
【０００７】
しかしながら、上述したヒラメのメス化技術においては、卵生魚で人工受精の技術が開発された魚に限られるものであるが、タケノコメバルは胎生魚であるので、ヒラメのメス化技術を適用することは出来ないものであった。
【０００８】
また、染色体操作で作出した全雌魚や三倍体魚を養殖する場合には、水産庁が行う「三倍体魚等の水産生物の利用要領」に基く三倍体魚等の特性評価等を行う必要がある。
【０００９】
本発明は、以上の問題点を解決し、タケノコメバルの稚魚をメス化させることが出来るようにし、その結果、出荷までの期間を短縮できるようにしたタケノコメバルの飼育方法を提供することを目的とする。
【課題を解決するための手段】
【００１０】
本発明者らは、産出後の飼育初期において、飼育水温をある程度以上の温度に維持すると、メス化が誘導されることを見出し、この知見を基礎として本発明を完成させたものである。すなわち、本発明者らは、タケノコメバルの種苗生産技術の開発過程において、精卵巣を持つ間性個体を含む群や、著しくメスに性比が偏る群を見出し、それらの群の出現状況から、原因が初期の飼育水温にあると推察した。そこで、飼育水温を通常より高く設定して飼育実験を行ったところ、メス化することを見出したものである。
【００１１】
請求項１に係るタケノコメバルの飼育方法は、雌雄分化の時期より以前の一定期間、飼育水温が１５℃以上であることを特徴として構成されている。
【００１２】
請求項２に係るタケノコメバルの飼育方法は、請求項１記載のタケノコメバルの飼育方法において、産出されてから雌雄分化の時期までの飼育水温が１５℃以上であることを特徴として構成されている。
【００１３】
請求項３に係るタケノコメバルの飼育方法は、請求項１記載のタケノコメバルの飼育方法において、全長が１１〜２３ｍｍの間の飼育水温が１５℃以上であることを特徴として構成されている。
【００１４】
請求項４に係るタケノコメバルの飼育方法は、請求項１記載のタケノコメバルの飼育方法において、産出された後２０日目から雌雄分化の時期までの飼育水温が１５℃以上であることを特徴として構成されている。
【発明の効果】
【００１５】
請求項１に係るタケノコメバルの飼育方法によれば、雌雄分化の時期より以前の一定期間、飼育水温を１５℃以上とすることにより、産出された稚魚のメス化が誘導され、メスの出現率を大きくすることが出来る。
【００１６】
請求項２に係るタケノコメバルの飼育方法によれば、産出されてから雌雄分化の時期までの飼育温度を１５℃以上とすることにより、産出された稚魚のメス化がより誘導され、メスの出現率を略１００％とすることが出来る。
【００１７】
請求項３に係るタケノコメバルの飼育方法によれば、全長が１１〜２３ｍｍの間の飼育温度を１５℃以上とすることにより、産出されたタケノコメバルの稚魚のメス化が誘導され、メスの出現率を略１００％とすることが出来る。
【００１８】
請求項４に係るタケノコメバルの飼育方法によれば、産出後２０日目から雌雄分化の時期までの飼育水温を１５℃以上とすることにより、産出されたタケノコメバルの稚魚のメス化が誘導され、メスの出現率を１００％近くにすることが出来る。
【発明を実施するための最良の形態】
【００１９】
本発明のタケノコメバルの飼育方法においては、雌雄分化の時期より以前の一定期間、飼育水温を１５℃以上とするものである。雌雄分化の時期とは、未分化の生殖腺に卵巣腔が形成された時期であり、生殖腺の観察又は生殖腺切片の組織観察により確認することが出来る。タケノコメバルにおいては、全長（頭部先端から尾鰭までの長さ、以下、同様）が約２３ｍｍに達した時期である。このタケノコメバルの雌雄分化の時期は、試験１により確認される。
【００２０】
[試験１]
タケノコメバルの稚魚を、異なる飼育水温に設定した水槽（２．７×１．７×深さ０．８ｍの角形水槽、約３．５ｋｌ）でクロレラを添加し、ワムシ及びアルテミア、配合飼料を給餌して飼育し、産出されてから１０日齢毎に全長を計測するとともに、生殖腺を観察し、卵巣腔の有無により雌雄分化を判定した。生殖線の観察は、任意の個体８体を取り出し行った。
【００２１】
＜試験区＞
１８℃飼育区：産出されてから水温約１８℃で飼育した。
４０日目以降１５℃飼育区：産出されてから４０日目までを約１２℃で飼育し、４０日目以降を約１５℃で飼育した。
【００２２】
＜結果＞
結果を下記の表１に示す。
【表１】
2009232683.tif 000002
（注）各日齢、各飼育区の調査数葉８個体
また、各試験区における飼育日数と全長との関係を図１に示す。
【００２３】
＜結論＞
表１より、１８℃飼育区においては、３０日齢で卵巣腔が確認され、４０日目以降１５℃飼育区においては、５０日齢で卵巣腔が確認されており、図１より、１８℃飼育区における３０日齢は全長約２３．１ｍｍであり、４０日目以降１５℃飼育区における５０日齢は全長約２３．７ｍｍである。したがって、雌雄分化の時期が、全長約２３ｍｍに達した時期であることが確認される。
【００２４】
本発明においては、雌雄分化の時期より以前の一定期間、飼育水温を１５℃以上とする必要があるが、この期間は、産出されてから雌雄分化の時期までの全期間であっても、その部分的な期間であってもよいが、長期間の方が好ましい。また、飼育水温は１５℃あればよく、生育を阻害しない範囲で高くすることが好ましい。飼育水温を高くすることにより代謝が上がり成長が速くなる。なお、飼育水温を所定の温度に維持するには、飼育水槽に通常装備されている調温装置を用いることが出来るので、新たに加温装置を設ける必要は無い。
【００２５】
タケノコメバルにおいては、上述したように、雌雄分化の時期が全長約２３ｍｍであるので、全長が約２３ｍｍ以下の時に１５℃以上の飼育水温とすることが必要で、産出されてから約２３ｍｍに達するまでの全期間１５℃以上を維持しても、約１１ｍｍから２３ｍｍまでの期間１５℃以上を維持してもよい。約１１ｍｍ以降を１５℃以上に維持しても、９０％以上の割合でメス化することができ、この場合は、全期間１５℃以上を維持する場合に比して経済的である。さらに、タケノコメバルにおいては、産出された直後から１５℃以上に維持しても、産出された後２０日目から１５℃以上に維持してもよく、後者の場合は経済的である。
【００２６】
次に、タケノコメバルにおいて、飼育水温とメス化の関係について試験した結果について説明する。
【００２７】
[試験２]
産出されてから８０日目まで、異なる５段階の飼育水温で飼育し、各飼育温度における雌雄の出現比を調べた。飼育水温と飼育期間の関係を図２に示す。雌雄の判定は、目視観察および生殖腺切片の組織観察により行い、１８℃区においては３０個体、１５℃区においては１７個体、１４℃区においては２９個体、１３℃区においては３０個体、１２℃区においては３０個体取り出して判定した。なお、判定の時期は、目視観察では成魚に達した時に行い、組織観察では性分化期以降に行った。また、水槽及び給餌は試験１と同様である。
【００２８】
＜試験区＞
１８℃区：１８℃で飼育した。
１５℃区：１５℃で飼育した。
１４℃区：１４℃で飼育した。
１３℃区：１３℃で飼育した。
１２℃区：１２℃で飼育した。
【００２９】
＜結果＞
雌雄の出現比の結果を図３に示す。
【００３０】
メスの出現率は、１８℃区及び１５℃区においては１００％、１４℃区では約５２％、１３℃区では約６７％、１２℃区では約６０％であった。なお、１４℃区では約２４％の間性個体が出現した。
【００３１】
＜結論＞
産出されてから雌雄分化までの期間（雌雄分化以降は、メス化に影響しない）、飼育水温を約１８℃又は１５℃とすることにより、全ての稚魚をメス化できることが確認された。これに対し、１３℃及び１２℃においては、メス化が誘導されていることが確認出来なかった。１４℃はメス化する過渡期に相当すると考えられる。
【００３２】
[試験３]
産出された時に水温を１２℃に設定し、その後１５℃に昇温して飼育を継続し、昇温時期の異なる３つの態様における雌雄の出現比を調べた。飼育水温と昇温時期の関係を図４に示す。雌雄の判定は、試験２と同様の方法で行い、４０日目昇温区においては３０個体、３０日目昇温区においては３０個体、２０日目昇温区においては３１個体取り出して判定した。なお、判定の時期は、目視観察では成魚に達した時に行い、組織観察では性分化期以降に行った。また、水槽及び給餌は試験１と同様である。
【００３３】
＜試験区＞
４０日目昇温区：産出されてから４０日目から１５℃にして飼育した。
３０日目昇温区：産出されてから３０日目から１５℃にして飼育した。
２０日目昇温区：産出されてから２０日目から１５℃にして飼育した。
【００３４】
＜結果＞
雌雄の出現比の結果を図５に示す。
メスの出現率は、２０日目昇温区においては９３．５％、３０日目昇温区においては約６０％、４０日昇温区においては約６３．３％であった。なお、３０日目昇温区では約６．７％の間性個体が出現した。
【００３５】
＜結論＞
産出された後２０日目から雌雄分化の時期までの期間（雌雄分化期以降は、メス化に影響しない）、飼育水温を約１５℃とすることにより、稚魚のメス化を極めて大きく誘導できることが確認された。
【００３６】
また、この産出された後２０日目は、全長約１１ｍｍである。すなわち、試験１の１５℃飼育区は、産出されてから２０日目までは１２℃の水温で飼育されたものであり、この飼育水温の条件は、試験３における２０日目昇温区の飼育水温の条件と同一となっている。したがって、試験１の１５℃飼育区においては、２０日目の全長が約１０．７ｍｍであるので、試験３の２０日目昇温区における２０日目の全長は約１１ｍｍと考えられる。以上のことより、全長約１１ｍｍ〜２３ｍｍの期間、飼育水温を約１５℃とすることにより、稚魚のメス化を極めて大きく誘導できることが確認された。
【図面の簡単な説明】
【００３７】
【図１】タケノコメバルの飼育水温の差による飼育日数と全長との関係を示す図
【図２】タケノコメバルの飼育水温と飼育期間の関係を示す図
【図３】タケノコメバルの飼育水温と雌雄の出現率の関係を示す図
【図４】タケノコメバルの飼育水温と昇温時期の関係を示す図
【図５】タケノコメバルの飼育水温と雌雄の出現率の関係を示す図
【図１】
2009232683.tif 000003
【図２】
2009232683.tif 000004
【図３】
2009232683.tif 000005
【図４】
2009232683.tif 000006
【図５】
2009232683.tif 000007